(57)【要約】本発明は、少なくとも１つの送信アンテナ（ＥＡ）から、ｎ個の受信アンテナ（ＲＡ）の全部または一部に送信する方法であって、シンボル時間の所定整数ｋにわたって、ｎ個の受信アンテナ（ＲＡ）の各々に向けた集中を停止することを利用することによって、第１の１つの情報を伝送するのに適している少なくとも１つの伝送ステップ、および／または少なくとも１つの送信アンテナ（ＥＡ）によって送信された電力を変調して、第２の１つのバイナリ情報を符号化することに寄与する。本発明は、また、前記方法に係る受信に適した受信機−復号機（ＲＥＣ）に関する。【選択図】図１
2019508992.tif 000002
【特許請求の範囲】
【請求項１】
少なくとも１つの送信アンテナ（ＥＡ）から、複数のバイナリシーケンス（ＳＥＱｎ）を含むソース信号をｎ個の受信アンテナ（ＲＡ）の全部または一部に伝送する方法であって、ｎは２以上の整数であり、前記方法は、前記ソース信号の前記バイナリシーケンス（ＳＥＱ）のうちの１つを送信するステップの前に、前記ｎ個の受信アンテナ（ＲＡ）のうちの１つの対象アンテナに向けて前記バイナリシーケンス（ＳＥＱ）を集中するプレフィルタリングを実施し、関連する集中プレフィルタリングは、第１のバイナリシーケンスの値に応じて選択され、前記方法は、
−シンボル時間の所定整数ｋにわたって、前記ｎ個の受信アンテナ（ＲＡ）の各々に向けた集中を同時に停止することを利用することによって、第１の１つの情報を伝送するのに適している少なくとも１つの伝送ステップ、
−および／または前記少なくとも１つの送信アンテナ（ＥＡ）によって送信された電力を変調して、第２の１つのバイナリ情報を符号化することに寄与するステップ
をさらに含むことを特徴とする、方法。
【請求項２】
前記第２の１つのバイナリ情報は、前記第１の１つのバイナリ情報と同じであることを特徴とする、請求項１に記載の伝送方法。
【請求項３】
前記シンボル時間の整数ｋは、ｘｘｘ以下であることを特徴とする、請求項１または２に記載の方法。
【請求項４】
前記電力の変調は、電力値範囲の所定整数ｐから、ある特定の電力値範囲を選出することを含むことを特徴とする、請求項１〜３のいずれか一項に記載の方法。
【請求項５】
複数のバイナリシーケンス（ＳＥＱｎ）を含む信号の少なくとも１つのバイナリシーケンス（ＳＥＱ）を受信および復号化するのに適している受信機（ＲＥＣ）であって、前記シーケンス（ＳＥＱ）は、遠隔の送信機によって送信される前に、ｎ個の受信アンテナ（ＲＡ）のうちの１つの対象アンテナに向けて集中するプレフィルタリングに供され、
関連する集中プレフィルタリングは、前記バイナリシーケンス（ＳＥＱ）の値に応じて選択され、前記受信機（ＲＥＣ）は、
−シンボル時間の所定整数ｋにわたって、少なくとも１つの遠隔の送信機から伝送され、前記受信機（ＲＥＣ）に接続したアンテナすべてに向けた集中を故意に停止することを利用することによって少なくとも部分的に符号化された第１の１つのバイナリ情報を復号化するためのモジュール（ＤＥＣ１）
−および／または、少なくとも１つの遠隔の送信アンテナ（ＥＡ）によって送信された電力を変調および符号化された第２の１つのバイナリ情報を復号化するためのモジュール（ＤＥＣ２）
をさらに備えていることを特徴とする、受信機。
【請求項６】
コンピュータプログラム製品であって、プログラムがコンピュータ上で実行されるときに、請求項１〜４のいずれか一項に記載の方法のステップを実行するためのソフトウェアコードの一部を含んでいるコンピュータの内部メモリに直接ロードできる、コンピュータプログラム製品。
【請求項７】
少なくとも１つの送信アンテナ（ＥＡ）から、複数のバイナリシーケンス（ＳＥＱｎ）を含むソース信号をｎ個の受信アンテナ（ＲＡ）の全部または一部に伝送する方法であって、ｎは２以上の整数であり、前記方法は、前記ソース信号の前記バイナリシーケンス（ＳＥＱ）のうちの１つを送信するステップの前に、前記ｎ個の受信アンテナ（ＲＡ）のうちの１つの対象アンテナに向けて前記バイナリシーケンス（ＳＥＱ）を集中するプレフィルタリングを実施し、関連する集中プレフィルタリングは、第１のバイナリシーケンスの値に応じて選択され、前記方法は、
−シンボル時間の所定整数ｋにわたって、前記ｎ個の受信アンテナ（ＲＡ）のいずれか１つに向けた集中を停止することを利用することによって、第１の１つの情報を伝送するのに適している少なくとも１つの伝送ステップ、
−および／または前記少なくとも１つの送信アンテナ（ＥＡ）によって送信された電力を変調して、第２の１つのバイナリ情報を符号化することに寄与するステップ
をさらに含むことを特徴とする、方法。
【請求項８】
前記第２の１つのバイナリ情報は、前記第１の１つのバイナリ情報と同じであることを特徴とする、請求項１に記載の伝送方法。
【請求項９】
前記シンボル時間の整数ｋは、４以下であることを特徴とする、請求項１または２に記載の方法。
【請求項１０】
前記電力の変調は、電力値範囲の所定整数ｐから、ある特定の電力値範囲を選出することを含むことを特徴とする、請求項１〜３のいずれか一項に記載の方法。
【請求項１１】
複数のバイナリシーケンス（ＳＥＱｎ）を含む信号（ＳＩＧ）の少なくとも１つのバイナリシーケンス（ＳＥＱ）を受信および復号化するのに適している受信機（ＲＥＣ）であって、前記シーケンス（ＳＥＱ）は、遠隔の送信機によって送信される前に、ｎ個の受信アンテナ（ＲＡ）のうちの１つの対象アンテナに向けて集中するプレフィルタリングに供され、
関連する集中プレフィルタリングは、前記バイナリシーケンス（ＳＥＱ）の値に応じて選択され、前記受信機（ＲＥＣ）は、
−シンボル時間の所定整数ｋにわたって、少なくとも１つの遠隔の送信機から伝送され、前記受信機（ＲＥＣ）に接続した１つのアンテナに向けた集中を故意に停止することを利用することによって少なくとも部分的に符号化された第１の１つのバイナリ情報を復号化するためのモジュール（ＤＥＣ１）
−および／または、少なくとも１つの遠隔の送信アンテナによって送信された電力を変調することによって符号化された第２の１つのバイナリ情報を復号化するためのモジュール（ＤＥＣ２）
さらに備えていることを特徴とする、受信機。
【請求項１２】
コンピュータプログラム製品であって、プログラムがコンピュータ上で実行されるときに、請求項１〜４のいずれか一項に記載の方法のステップを実行するためのソフトウェアコードの一部を含んでいるコンピュータの内部メモリに直接ロードできる、コンピュータプログラム製品。
【発明の詳細な説明】
【技術分野】
【０００１】
本発明は、無線電送を介したデジタル通信に関する。本発明は、さらに詳細には、空間変調を実施するマルチアンテナシステムにおけるチャネルの伝送容量の増加に関する。
【背景技術】
【０００２】
無線電気信号の送受信を介した伝送システムを実施するための変調技術が多数存在する。近年、様々な既存の変調の中から空間変調の技術が登場し、この技術では、所定の時間間隔にわたって、１つ以上の送信機を作動させ、その各々が１つ以上の受信機に送信することで、別の変調を用いて運搬できるデータ以外の情報を符号化する（シンボルの伝送）。このような空間変調には、例えばＲＡＳＫ変調（「Ｒｅｃｅｉｖｅ  Ａｎｔｅｎｎａ  Ｓｈｉｆｔ  ｋｅｙｉｎｇ」の略語）およびＲＳＭ（「Ｒｅｃｅｉｖｅ  Ｓｐａｔｉａｌ  Ｍｏｄｕｌａｔｉｏｎ」の略語）などがある。
【０００３】
第２５２４２２９号として公開された（Ｆｒａｎｃｅ  Ｔｅｌｅｃｏｍ、２００９年１２月１７日）仏国特許出願第０９５９１５２号、発明の名称「ＰＲＯＣＥＤＥ  ＤＥ  ＴＲＡＮＳＭＩＳＳＩＯＮ  Ｄ’ＵＮ  ＳＩＧＮＡＬ  ＳＯＵＲＣＥ、ＰＲＯＣＥＤＥ  ＤＥ  ＲＥＣＥＰＴＩＯＮ  Ｄ’ＵＮ  ＳＩＧＮＡＬ  ＥＭＩＳ、ＥＭＥＴＴＥＵＲ、ＲＥＣＥＰＴＥＵＲ、ＳＩＧＮＡＬ  ＥＴ  ＰＲＯＧＲＡＭＭＥＳ  Ｄ’ＯＲＤＩＮＡＴＥＵＲ  ＣＯＲＲＥＳＰＯＮＤＡＮＴＳ」（特許文献１）には、複数のバイナリシーケンスを含むソース信号をＮＲ個の受信アンテナに伝送する方法が記載され、ＮＲは２以上である。この文献に記載されている方法によれば、プレフィルタリングの動作では、ソース信号のバイナリシーケンスに対して、対象アンテナと呼ばれる受信アンテナのうちの少なくとも１つに向けて集中が行われる。さらに、同じくこの方法によれば、対象アンテナおよびそれに関連する集中プレフィルタリングは、送信されるバイナリシーケンスの値に応じて選択される。
【先行技術文献】
【特許文献】
【０００４】
【特許文献１】仏国特許出願第０９５９１５２号
【発明の概要】
【０００５】
この種の変調では、実施の複雑さとチャネル容量との比があり、これを改善できる。
【０００６】
本発明は、少なくとも１つの送信アンテナから、複数のバイナリシーケンスを含む信号を、ｎ個の受信アンテナの全部または一部に伝送する方法であって、ｎは２以上の整数である方法を提案することによって、空間変調を実施する電気通信チャネルの少なくとも容量を改善できる伝送方法を提案し、本方法は、ソース信号のバイナリシーケンスのうちの１つを送信するステップの前に、ｎ個の受信アンテナのうちの対象アンテナに向けてバイナリシーケンスを集中することが可能性なプレフィルタリングを実施し、この可能性な関連する集中プレフィルタリングは、第１のバイナリシーケンスの値に応じて選択され、本方法はさらに、
−シンボル時間（持続時間）の所定整数にわたって、ｎ個の受信アンテナの各々に向けた集中を同時に故意に停止することを利用することによって第１の１つの情報（バイナリまたはＭ−ａｒｙ方式）を伝送するのに適している、少なくとも１つの伝送ステップ、
−および、任意選択により、少なくとも１つの送信アンテナによって送信された電力を変調して、第２の１つの情報を符号化する（バイナリまたはＭ−ａｒｙ方式）ことに寄与するステップと
を含む。
【０００７】
これらのアンテナに向けていずれか１つのビームを有効にしない場合でも（送信電力ゼロ）、有効な全ビームに対して所定の電力閾値を下回る実質的に少ない電力を送信する場合でも、ｎ個の受信アンテナすべてに向けて集中を故意になくしているものとみなす。
【０００８】
本発明の一実施形態によれば、第２の１つのバイナリ情報と第１の１つの情報は共同で、そのままに解釈できる同じただ１つのバイナリ情報を形成する。
【０００９】
有利には、シンボル時間の整数ｋは、例えば５などの所定数以下である。
【００１０】
有利には、電力の変調は、電力値範囲の所定整数ｐから、ある特定の電力値範囲を選出することを含む。
【００１１】
本発明の一実施形態によれば、新たなシンボル時間それぞれに対して、（送信状態の）ビームを有効にすることによって対象となった受信アンテナＲＡｎの数は、変動し、０〜ｎであってよい。
【００１２】
本発明は、複数のバイナリシーケンスを含む信号の少なくとも１つのバイナリシーケンスを受信および復号化するように構成された受信装置にも関連し、シーケンスは、遠隔の送信機によって送信される前に、ｎ個の受信アンテナのうちのどれでもないか１つまたは複数の対象アンテナに向けて集中プレフィルタリングに供され、
関連する集中プレフィルタリングは、バイナリシーケンスの値に応じて選択される。
【００１３】
ここで、１つ以上のアンテナに向けた「集中プレフィルタリング」という用語は、シンボル時間にわたって伝送するシーケンスに応じてどの送信ビームを有効にすべきか（またそれによってどのビームを無効にすべきか）を規定することを目的とする一連の動作を意味する。
【００１４】
そのため、プレフィルタリングを実行することで、プレフィルタリング後に有効になるビームが必ずあることにはならないが、シーケンスと対象にするアンテナの組み合わせとの間には互換があり、この組み合わせは、ビーム（対象にするアンテナ）がまったくない場合を含むことがある。
【００１５】
受信装置は、
−シンボル時間の所定整数にわたって、少なくとも１つの遠隔の送信機から伝送され、上記受信機に接続したアンテナすべてに向けた集中を故意に停止することを利用することによって少なくとも部分的に符号化された第１の１つのバイナリ情報を復号化するためのモジュール、
−および／または、少なくとも１つの遠隔の送信アンテナによって送信された電力を変調して符号化された第２の１つのバイナリ情報を復号化するためのモジュール
をさらに備えている。
【００１６】
最後に、本発明は、コンピュータプログラム製品であって、このプログラムがコンピュータ上で実行されるときに、前述の方法のステップを実行するためのソフトウェアコードの一部を含んでいるコンピュータの内部メモリに直接ロードできる、コンピュータプログラム製品に関する。
【００１７】
以下の説明を読むことで、本発明はよりよく理解され、その他の特徴および利点は明らかになり、説明では以下の添付の図面を参照している。
【図面の簡単な説明】
【００１８】
【図１】先行技術に属するＲＡＳＫ技術による無線周波数を介したデータ通信システムを示す図である。
【図２】第１のシンボル時間にわたる、本発明の特定の非限定的な実施形態による無線周波数を介したデータの電気通信システムを示す図である。
【図３】第２のシンボル時間にわたる、図２に既に示した電気通信システムを示す図である。
【図４】第３のシンボル時間にわたる、図２および図３に既に示した電気通信システムを示す図である。
【発明を実施するための形態】
【００１９】
図１〜図４では、図示したモジュールは基本ユニットであり、これらは物理的に識別可能なユニットに対応していることもあれば対応していないこともある。例えば、これらのモジュールまたはその一部は、単一の構成要素の中に一つにまとめられるか、あるいは同じソフトウェアの機能性で構成される。逆に、他の実施形態によれば、特定のモジュールは別々の物理的実体で構成される。
【００２０】
図１は、先行技術に属する技術による無線周波数の通信を介したデータ通信システムを示している。このシステムでは、ＲＡＳＫ変調（「Ｒｅｃｅｉｖｅ  Ａｎｔｅｎｎａ  Ｓｈｉｆｔ  Ｋｅｙｉｎｇ」の略語）を実施する。送信機ＥＡは、１つ以上のビームＢ１、Ｂ２、Ｂ３、Ｂ４を１つ以上の受信アンテナＲＡ１、ＲＡ２、ＲＡ３およびＲＡ４に向けて生成するのに適している。送信アンテナＥＡは、特に、プレフィルタリングモジュールＰＦによって実施される集中プレフィルタリングに従って動作し、プレフィルタリングモジュールは、伝送される論理ワードに従ってビームＢ１、Ｂ２、Ｂ３、Ｂ４の各々の有無を制御し、論理ワードは、プレフィルタリングモジュールＰＦの入力リンクＤＥから受信される。この技術によれば、常に少なくとも１つの有効なビームがある。アンテナＥＡから伝送される論理情報（または論理ワード）は、コントローラＣＴＲの制御下でリンクＤＥを介してプレフィルタリングモジュールＰＦに順次提供される。コントローラＣＴＲは、リンクＤＬを通ってデータソースＤＳから伝送される情報を読み取る。制御要素ＣＴＲ、プレフィルタリング要素ＰＦ、データをリンクに転送する要素ＤＬおよびＤＥの特徴の全容は、デジタル装置および変調の当業者には公知のことであり、記載した変調システムの理解には有用ではないため、ここではこれ以上説明しない。
【００２１】
コントローラＣＴＲ、プレフィルタリングモジュールＰＦおよび送信アンテナＥＡは、共同で、ＲＡＳＫ空間変調を含むデータを通信する（データの伝送）技術を実施する送信局を形成する。
【００２２】
この技術によれば、バイナリ値の組み合わせ（バイナリワードまたはバイナリワードのフラグメント）と、一連の対象アンテナのうちの１つの対象アンテナとの間に、対応するルックアップテーブル（マッピング）が作成される。
【００２３】
そのため、例えば、最も低いバイナリウェイトに割り当てられたアンテナＲＡ１は、バイナリシーケンス００に該当する。同じく、バイナリシーケンス０１はアンテナＲＡ２に割り当てられ、列１０および１１はそれぞれ、図１のアンテナＲＡ３およびＲＡ４に割り当てられる。ここで、ＲＡ４は、最も重みのあるバイナリ成分に関連付けられている。
【００２４】
バイナリシーケンス「００１０１１０１」が、コントローラＣＴＲの制御下でデータソースＤＳから来て送信アンテナＥＡから送信される場合、集中プレフィルタリングモジュールＰＦによって、所定のルックアップテーブルに従って（ワード「００」に対して）伝送ビームＢ１、次に（ワード「１０」に対して）Ｂ３、次に（ワード「１１」に対して）Ｂ４、最後に（ワード「０１」に対して）を順に生成できる。
【００２５】
プレフィルタリングＰＦはこのように、空間集中技術（事前符号化とも呼ばれる）を実施する。
【００２６】
この技術はさらに、１つ以上の受信アンテナＲＡｊに伝送する複数の送信アンテナＥＡｉに適用されることが知られている。
【００２７】
この技術は、バイナリ値（バイナリワード、バイナリワードのフラグメント）とその値に関連付けられたそれぞれの対象アンテナとの所定の対応関係に基づいている。
【００２８】
図２は、本発明の特定の非限定的な実施形態による無線周波数を介したデータの電気通信システムを示している。本発明によるシステムは、１つ以上のビームＢ１、Ｂ２、Ｂ３を１つ以上の受信アンテナＲＡ１、ＲＡ２およびＲＡ３に向けて生成するのに適している送信機ＥＡを備えている。送信アンテナＥＡは、特に、プレフィルタリングモジュールＰＦによって実施される集中プレフィルタリングに従って動作し、プレフィルタリングモジュールは、伝送される論理ワードに従ってビームＢ１、Ｂ２（図示せず）およびＢ３の各々の有無を制御し、論理ワードは、プレフィルタリング機能の入力リンクＤＥから受信される。アンテナＥＡから伝送される論理情報（または論理ワード）は、コントローラＣＴＲの制御下で、リンクＤＥを介してプレフィルタリングモジュールＰＦに順次提供される。コントローラＣＴＲは、リンクＤＬを通ってデータソースＤＳから伝送される情報を読み取る。制御要素ＣＴＲ、プレフィルタリング要素ＰＦ、データをリンクに転送する要素ＤＬおよびＤＥの特徴の全容は、当業者には公知のことであり、本発明の理解には有用ではないため、ここではこれ以上説明しない。
【００２９】
コントローラＣＴＲ、プレフィルタリングモジュールＰＦおよび送信アンテナＥＡは、共同で、新たな空間変調を含むデータを通信する（データの伝送）技術を実施する本発明による送信局を形成する。
【００３０】
巧妙なことに、用いた空間変調によって、１つ以上のシンボル時間にわたって前述のｎ個の受信アンテナＲＡに向けた集中を停止することを利用して、第１の１つのバイナリ情報ＳＥＱ１を伝送することが可能になる。
【００３１】
実際、本発明の好適な実施形態による空間変調技術は、以下の原理に基づいている：各々の受信アンテナＲＡｎに対して、ビーム（の存在）を検出すれば、受信したバイナリ成分の値を表し、検出したビームがなければ、同じ成分に対して可能な他のバイナリ値を表す。そのため、受信アンテナにビームがあれば、論理「１」に相当する可能性があり、なければ論理「０」に相当する可能性があり、あるいはこの逆の可能性もある。
【００３２】
有利には、１つ以上のシンボル時間にわって、使用されていて有効にできる可能性があるチャネルのビームＢ１、Ｂ２およびＢ３がすべてなければ、そのチャネルに伝送され得る１つの情報を符号化することに寄与する。これは先行技術による空間変調では不可能なことである。
【００３３】
したがって、ＥＡと３つのアンテナＲＡ１、ＲＡ２およびＲＡ３との間の伝送チャネルの容量は、
Ｃ＝ｎであり、式中ｎは受信アンテナの数である。
つまり、記載した例ではＣ＝３である。
【００３４】
有利には、本発明による空間変調技術に使用するアンテナの数は、先行技術（例えばＲＡＳＫ）による空間変調で実施される公知の原理とは異なり、必ずしも２の冪乗ではない。
【００３５】
例えば送信機と３つの受信アンテナとの間の伝送チャネルの容量は、ＲＡＳＫでは、
ＣＲＡＳＫ＝Ｌｏｇ２ｎである。
つまり、送信機が１つで受信アンテナが３つの場合、ＲＡＳＫ変調を用いた場合のチャネルの容量は１．５８４９６３になる。
【００３６】
そのため、本発明による空間変調技術を実施すると、実施の複雑さと使用する電気通信（伝送）チャネルの容量との比を有利に改善することが可能になる。
【００３７】
ここで、「シンボル時間」および「シンボル持続時間」という用語は、使用する伝送チャネルを介して伝送できる識別可能なシンボル各々の伝送に関連する伝送の基本的な持続時間を意味する。
【００３８】
図２は、第１のシンボル時間ＴＳ１にわたってバイナリシーケンスＳＥＱ１（値が「１０１０００１１１」）のフラグメント（３列）「１０１」を伝送する様子を示している。前述の原理によれば、集中プレフィルタリングモジュールは、シンボル時間ＴＳ１にわたって伝送ビームＢ１およびＢ３を有効にし、かつ伝送ビームＢ２を停止することを実行する。そのため、有効になったビームＢ１は論理「１」を符号化し、無効になったビームＢ２は論理「０」を符号化し、残りの伝送ビームＢ３は論理「１」を符号化する。アンテナＲＡ１、ＲＡ２およびＲＡ３によって受信されたバイナリ成分（「０」または「１」）の３列は、受信後に、伝送されたシーケンスＳＥＱ１を再構成する論理列「１０１」を符号化する。
【００３９】
同じ原理によれば、図３は、ＴＳ１に続くシンボル時間ＴＳ２にわたって、シーケンスＳＥＱ１のバイナリ成分の連続するフラグメント（３列）を送信する様子を示している。このシーケンスの場合、その値は「０００」であり、集中プレフィルタリングモジュールは、３つの伝送ビームＢ１、Ｂ２およびＢ３を同時に無効にする。（シンボル時間ＴＳ２にわたる）この伝送のステップは、ＳＥＱ１のシーケンス部分「０００」の受信に相当する。
【００４０】
最後に、空間変調の同じ原理によれば、図４は、ＴＳ２に続くシンボル時間ＴＳ３にわたってシーケンスＳＥＱ１の３列「１１１」を伝送する様子を示している。このシンボル時間ＴＳ３の間、３つのビームＢ１、Ｂ２およびＢ３は、集中プレフィルタリングモジュールＰＦによって同時に有効になる。
【００４１】
図２、図３および図４は共同で、値「１０１０００１１１」を有する図示したシーケンスＳＥＱ１をフラグメント（３列）ごとに伝送する様子を示している。
【００４２】
当然ながら、同じ原理によれば、どのようなバイナリシーケンスＳＥＱでも、ｋの整数倍であるシンボル時間を含む期間にわたって送信することが可能である。
【００４３】
引き続き同じ原理によれば、複数の送信機ＥＡｎを複数の受信アンテナＲＡｎに向けて実装している伝送チャネルに対してバイナリシーケンスＳＥＱを伝送することが可能である。
【００４４】
本発明の第２の実施形態によれば、伝送システムは、ビームＢ１、Ｂ２およびＢ３の各々に対して電力変調を実行する。そのため、各々のビームの電力は、シンボル時間にわたって伝送されるバイナリシーケンスに応じて、所定の電力値域（範囲）の多重度ｐから選択される。
【００４５】
第２の実施形態によれば、１つ以上のアンテナＲＡｎに接続されている１つ以上の受信／復号化モジュールは、使用する様々な電力レベルを識別するのに適しており、シンボル時間にわたって伝送されたバイナリシーケンスＳＥＱの符号化に寄与する。このようにするために、受信／復号化モジュールは、受信した電力レベルを検出する１つ以上のシステムを備えている。
【００４６】
有利には、第１の１つのバイナリ情報および第２の１つのバイナリ情報（バイナリシーケンス）を伝送するために記載し使用した、それぞれ対応する第１の実施形態と第２の実施形態とを組み合わせることができる。この場合、第１の１つの情報および第２の１つの情報は、記載した好適な実施形態（上記の第１の実施形態）に従い、かつさらに第２の実施形態で前述した電力変調を用いて、空間変調によって伝送した１つの情報を形成する。
【００４７】
記載した空間変調の原理に従って伝送されたシーケンスＳＥＱの再構成では、少なくともこのバイナリシーケンスＳＥＱを受信して復号化するのに適している受信機ＲＥＣを使用する。
【００４８】
受信機ＲＥＣに伝送され、この受信機で受信されたシーケンスＳＥＱは、遠隔のＥＡのｎ個のアンテナＲＡｎのうちの１つ以上の対象アンテナに向けて送信される前に、ＰＦによる集中プレフィルタリングに供され、場合によってはビームＢｎを介して伝送された電力変調に供される。
【００４９】
そのため、受信／復号機ＲＥＣは、シーケンスの再構成を実行するために、
−シンボル時間の所定整数ｋにわたって、少なくとも１つの遠隔の送信機から伝送され、上記受信機ＲＥＣに接続したアンテナのいずれか１つに向けた集中を故意に停止する（またはすべて向けて停止する）ことを利用することによって少なくとも部分的に符号化された第１のバイナリ情報を復号化するためのモジュールＤＥＣ１、
−および／または、少なくとも１つの遠隔の送信アンテナＥＡから送信された電力を変調して符号化された第２のバイナリ情報を復号化するためのモジュールＤＥＣ２
を備えている。
【００５０】
実施形態の代替案によれば、モジュールＤＥＣ１とＤＥＣ２は同じであり得る。
【００５１】
本発明は、上記の実施形態に係るだけではなく、さらに広義には、１つ以上のシンボル時間にわたって、受信用に使用するアンテナの各々に向けた伝送ビームを同時に停止することによって、さらに場合によってはすべてまたは一部のビームに対して電力変調を用いて、情報の全体または一部の符号化を実行できるどのような空間変調にも係る。
【図１】
2019508992.tif 000003
【図２】
2019508992.tif 000004
【図３】
2019508992.tif 000005
【図４】
2019508992.tif 000006
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
少なくとも１つの送信アンテナ（ＥＡ）から、複数のバイナリシーケンス（ＳＥＱｎ）を含むソース信号をｎ個の受信アンテナ（ＲＡ）の全部または一部に伝送する方法であって、ｎは２以上の整数であり、前記方法は、前記ソース信号の前記バイナリシーケンス（ＳＥＱ）のうちの１つを送信するステップの前に、前記ｎ個の受信アンテナ（ＲＡ）のうちの１つの対象アンテナに向けて前記バイナリシーケンス（ＳＥＱ）を集中するプレフィルタリングを実施し、関連する集中プレフィルタリングは、第１のバイナリシーケンスの値に応じて選択され、前記方法は、
−シンボル時間の所定整数ｋにわたって、前記ｎ個の受信アンテナ（ＲＡ）の各々に向けた集中を同時に停止することを利用することによって、第１の１つの情報を伝送するのに適している少なくとも１つの伝送ステップを含むことを特徴とする、方法。
【請求項２】
前記少なくとも１つの送信アンテナ（ＥＡ）によって送信された電力を変調して、第２の１つのバイナリ情報を符号化することに寄与するステップをさらに含むことを特徴とする、請求項１に記載の方法。
【請求項３】
前記第２の１つのバイナリ情報は、前記第１の１つのバイナリ情報と同じであることを特徴とする、請求項１に記載の伝送方法。
【請求項４】
前記シンボル時間の整数ｋは、５以下であることを特徴とする、請求項１または２に記載の方法。
【請求項５】
前記電力の変調は、電力値範囲の所定整数ｐから、ある特定の電力値範囲を選出することを含むことを特徴とする、請求項１〜３のいずれか一項に記載の方法。
【請求項６】
複数のバイナリシーケンス（ＳＥＱｎ）を含む信号の少なくとも１つのバイナリシーケンス（ＳＥＱ）を受信および復号化するのに適している受信機（ＲＥＣ）であって、前記シーケンス（ＳＥＱ）は、遠隔の送信機によって送信される前に、ｎ個の受信アンテナ（ＲＡ）のうちの１つの対象アンテナに向けて集中するプレフィルタリングに供され、
関連する集中プレフィルタリングは、前記バイナリシーケンス（ＳＥＱ）の値に応じて選択され、前記受信機（ＲＥＣ）は、
−シンボル時間の所定整数ｋにわたって、少なくとも１つの遠隔の送信機から伝送され、前記受信機（ＲＥＣ）に接続したアンテナすべてに向けた集中を故意に停止することを利用することによって少なくとも部分的に符号化された第１の１つのバイナリ情報を復号化するためのモジュール（ＤＥＣ１）を備えていることを特徴とする、受信機。
【請求項７】
少なくとも１つの遠隔の送信アンテナ（ＥＡ）によって送信された電力を変調および符号化された第２の１つのバイナリ情報を復号化するためのモジュール（ＤＥＣ２）をさらに備えていることを特徴とする、請求項６に記載の受信機。
【請求項８】
コンピュータプログラム製品であって、プログラムがコンピュータ上で実行されるときに、請求項１〜５のいずれか一項に記載の方法のステップを実行するためのソフトウェアコードの一部を含んでいるコンピュータの内部メモリに直接ロードできる、コンピュータプログラム製品。
【請求項９】
少なくとも１つの送信アンテナ（ＥＡ）から、複数のバイナリシーケンス（ＳＥＱｎ）を含むソース信号をｎ個の受信アンテナ（ＲＡ）の全部または一部に伝送する方法であって、ｎは２以上の整数であり、前記方法は、前記ソース信号の前記バイナリシーケンス（ＳＥＱ）のうちの１つを送信するステップの前に、前記ｎ個の受信アンテナ（ＲＡ）のうちの１つの対象アンテナに向けて前記バイナリシーケンス（ＳＥＱ）を集中するプレフィルタリングを実施し、関連する集中プレフィルタリングは、第１のバイナリシーケンスの値に応じて選択され、前記方法は、
−シンボル時間の所定整数ｋにわたって、前記ｎ個の受信アンテナ（ＲＡ）のいずれか１つに向けた集中を停止することを利用することによって、第１の１つの情報を伝送するのに適している少なくとも１つの伝送ステップを含むことを特徴とする、方法。
【請求項１０】
前記少なくとも１つの送信アンテナ（ＥＡ）によって送信された電力を変調して、第２の１つのバイナリ情報を符号化することに寄与するステップをさらに含むことを特徴とする、請求項９に記載の方法。
【請求項１１】
前記第２の１つのバイナリ情報は、前記第１の１つのバイナリ情報と同じであることを特徴とする、請求項１０に記載の伝送方法。
【請求項１２】
前記シンボル時間の整数ｋは、４以下であることを特徴とする、請求項９〜１１のいずれか一項に記載の方法。
【請求項１３】
前記電力の変調は、電力値範囲の所定整数ｐから、ある特定の電力値範囲を選出することを含むことを特徴とする、請求項１０〜１２のいずれか一項に記載の方法。
【請求項１４】
複数のバイナリシーケンス（ＳＥＱｎ）を含む信号（ＳＩＧ）の少なくとも１つのバイナリシーケンス（ＳＥＱ）を受信および復号化するのに適している受信機（ＲＥＣ）であって、前記シーケンス（ＳＥＱ）は、遠隔の送信機によって送信される前に、ｎ個の受信アンテナ（ＲＡ）のうちの１つの対象アンテナに向けて集中するプレフィルタリングに供され、
関連する集中プレフィルタリングは、前記バイナリシーケンス（ＳＥＱ）の値に応じて選択され、前記受信機（ＲＥＣ）は、
−シンボル時間の所定整数ｋにわたって、少なくとも１つの遠隔の送信機から伝送され、前記受信機（ＲＥＣ）に接続した１つのアンテナに向けた集中を故意に停止することを利用することによって少なくとも部分的に符号化された第１の１つのバイナリ情報を復号化するためのモジュール（ＤＥＣ１）を備えていることを特徴とする、受信機。
【請求項１５】
コンピュータプログラム製品であって、プログラムがコンピュータ上で実行されるときに、請求項９〜１３のいずれか一項に記載の方法のステップを実行するためのソフトウェアコードの一部を含んでいるコンピュータの内部メモリに直接ロードできる、コンピュータプログラム製品。
【国際調査報告】
2019508992.tif 000007
2019508992.tif 000008
2019508992.tif 000009
2019508992.tif 000010
2019508992.tif 000011
2019508992.tif 000012